(57)【要約】【課題】軒樋の異なる出寸法に対するカバー部材の適当な位置での取付けを少ない種類のカバー部材取付治具によって実現可能としたスライド式吊具を提供すること。【解決手段】スライド式吊具１において、カバー部材取付治具１３は、吊具本体２の足部５に取り付けられる固定部１４と、カバー部材５１を固定する可動部１５とを備え、可動部は、固定部に対し、アーム部３のスライド方向と同じ方向の前後にスライド自在とされている。【選択図】図１
2011094308.tif 000002
【特許請求の範囲】
【請求項１】
軒先の鼻隠しに取付可能とされた固定部と、固定部から軒先の前方に対応する方向に延びる足部とを備えた吊具本体と、吊具本体の足部に対してその長さ方向の前後にスライド自在に配設されたアーム部とを備え、軒樋の上端開口を覆うカバー部材が、カバー部材取付治具を介して吊具本体に配設されたスライド式吊具において、
カバー部材取付治具は、吊具本体の足部に取り付けられる固定部と、カバー部材を固定する可動部とを備え、可動部は、固定部に対し、アーム部のスライド方向と同じ方向の前後にスライド自在とされている
ことを特徴とするスライド式吊具。
【請求項２】
固定部は、その上端に平板状の係止片部を有し、係止片部では、その端縁部に第１の凹凸部が形成され、可動部は、その下端に、固定部の係止片部に係合可能とされた係合部を有し、係合部では、係止片部の第１の凹凸部に対応する第２の凹凸部が形成され、第２の凹凸部の凹部、凸部が、それぞれ、第１の凹凸部の凸部、凹部に係止されることによって、可動部が固定部に固定されることを特徴とする請求項１に記載のスライド式吊具。
【発明の詳細な説明】
【技術分野】
【０００１】
本発明は、軒先の形状や構造などに対応して軒樋の出寸法の調整を可能としたスライド式吊具に関する。
【背景技術】
【０００２】
本出願人は、軒樋を軒先に取り付ける吊具に関し、下記特許文献１に記載した雪よけカバーの取付構造を提案している。
【０００３】
特許文献１に記載した雪よけカバーの取付構造では、下端に設けられた固定片がビス止めによって吊具本体の上面に固定され、支持片が、吊具本体から上方に向けて突設される。支持片の上部からは、屋根面の略延長線上に位置し、軒先側に向かって下り傾斜する受け片が一体に突設されている。
【０００４】
雪よけカバーは、軒先に沿う両端に中空部が設けられ、各中空部の相対向する対向端部の下部から係止突起が対向する方向に突設されている。このような雪よけカバーは、受け片の折り曲げ片の先端下面に係止突起を係止し、また、受け片の切り起こし片の下面に係止突起を係止して受け片に固定され、軒先に取り付けられる。
【０００５】
雪よけカバーは、軒樋の内部への雪の進入を阻止し、軒樋内部に積雪するのを抑制して、雪の自重による軒樋の破損を防止することができる。
【０００６】
なお、雪よけカバーは、単に降雪時の積雪を抑制するばかりでなく、落ち葉よけ、また、水切りとしても機能する。
【先行技術文献】
【特許文献】
【０００７】
【特許文献１】特開平７−１３３６５７号公報
【発明の概要】
【発明が解決しようとする課題】
【０００８】
ところで、積雪荷重の回避や雨水の受水の関係上、軒樋の先端と雪よけカバーとの位置関係は一定であることが要求される。
【０００９】
一方、軒先における軒樋の納まりは、軒先の形状や構造などに反映され、軒先からの軒樋の出寸法は、一定ではなく、まちまちとなる。このような出寸法のバラツキは、軒樋の取付位置の調整を可能にしたスライド式吊具についても同様のことが指摘される。スライド式吊具は、軒先の鼻隠しに取り付けられる吊具本体に備えた足部に対して軒樋を固定するアーム部が、足部の長手方向にスライド移動自在に配設されたものである。
【００１０】
つまり、スライド式吊具についても、軒樋の異なる出寸法に対して雪よけカバーを、積雪荷重の回避や雨水の受水を可能とする適当な位置に取り付けるためには、軒樋の出寸法に対応した雪よけカバー取付治具を作製し、これを装着する必要があった。したがって、雪よけカバー取付治具は、軒先の出寸法に個別に対応させる必要があり、その種類は、異なる出寸法分となる。
【００１１】
本発明は、以上のとおりの事情に鑑みてなされたものであり、軒樋の異なる出寸法に対するカバー部材の適当な位置での取付けを少ない種類のカバー部材取付治具によって実現可能としたスライド式吊具を提供することを課題としている。
【課題を解決するための手段】
【００１２】
本発明は、上記の課題を解決するために、以下の特徴を有している。
【００１３】
第１の発明は、軒先の鼻隠しに取付可能とされた固定部と、固定部から軒先の前方に対応する方向に延びる足部とを備えた吊具本体と、吊具本体の足部に対してその長さ方向の前後にスライド自在に配設されたアーム部とを備え、軒樋の上端開口を覆うカバー部材が、カバー部材取付治具を介して吊具本体に配設されたスライド式吊具において、カバー部材取付治具は、吊具本体の足部に取り付けられる固定部と、カバー部材を固定する可動部とを備え、可動部は、固定部に対し、アーム部のスライド方向と同じ方向の前後にスライド自在とされていることを特徴としている。
【００１４】
第２の発明は、上記第１の発明の特徴において、固定部は、その上端に平板状の係止片部を有し、係止片部では、その端縁部に第１の凹凸部が形成され、可動部は、その下端に、固定部の係止片部に係合可能とされた係合部を有し、係合部では、係止片部の第１の凹凸部に対応する第２の凹凸部が形成され、第２の凹凸部の凹部、凸部が、それぞれ、第１の凹凸部の凸部、凹部に係止されることによって、可動部が固定部に固定されることを特徴としている。
【発明の効果】
【００１５】
上記第１の発明によれば、カバー部材取付治具では、可動部を固定部に対して前後にスライドさせることができるので、軒樋の出寸法に対応してカバー部材の取付位置を調整することができる。カバー部材取付治具を１種類としても、軒先における軒樋の納まりにある程度対応することができ、軒樋の異なる出寸法に対してカバー部材を適当な位置に取り付けることが可能となる。
【００１６】
上記第２の発明によれば、可動部は、その下端に有する係合部の第２の凹凸部が、固定部の上端に有する係止片部の端縁部に形成された第１の凹凸部に沿ってスライドし、また、係止されることによって可動部は固定部に固定される。このため、固定部に対する可動部のスライドおよび固定を簡単な操作で実現することができる。
【図面の簡単な説明】
【００１７】
【図１】本発明のスライド式吊具の一実施形態を軒樋の取付状態とともに示した側面図である。
【図２】（ａ）、（ｂ）、（ｃ）は、それぞれ、図１に示したカバー部材取付治具の固定部を拡大して示した平面図、側面図、底面図である。
【図３】（ａ）、（ｂ）、（ｃ）は、それぞれ、図１に示したカバー部材取付治具の可動部を拡大して示した平面図、要部正面図、側面図である。
【図４】図１に示したスライド式吊具による軒樋の他の取付状態を示した側面図である。
【発明を実施するための形態】
【００１８】
上記のとおり、図１は、本発明のスライド式吊具の一実施形態を軒樋の取付状態とともに示した側面図である。図２の（ａ）、（ｂ）、（ｃ）は、それぞれ、図１に示したカバー部材取付治具の固定部を拡大して示した平面図、側面図、底面図であり、図３の（ａ）、（ｂ）、（ｃ）は、それぞれ、図１に示したカバー部材取付治具の可動部を拡大して示した平面図、要部正面図、側面図である。
【００１９】
スライド式吊具１は、吊具本体２と、アーム部３とを備えている。吊具本体２は、ビスなどの固定具によって軒先の鼻隠しに取付可能とされた、たとえば板状に形成することのできる固定部４と、固定部４の上端から軒先の前方に対応する方向に延設された、例えば棒状に形成することのできる足部５とを備えている。足部５では、軒先から遠くに配置される前端部５ａが一段下がって配置されている。
【００２０】
アーム部３は、足部５の長さ方向に延びる本体６と、本体６において軒先から遠くに配置される前端から斜め上方に延びる前耳受け部７と、本体６において軒先の近くに配置される後端側の下部に配置された後耳受け部８とを備えている。このようなアーム部３は、足部５における一段下がった前端部５ａにおいてボルト９およびナット１０によって連結され、アーム部３の本体６は、足部５のほぼ直下に配置される。また、アーム部３は、ナット１０のボルト９への締結を緩めることによって本体６のほぼ長さ範囲以内で、足部５の長さ方向の前後にスライド自在となっている。
【００２１】
足部５の前端部５ａには、上下に貫通する略円形の開口が形成され、アーム部３の本体６には、上下に貫通するとともに、その長さ方向に延びる長穴状の開口が形成されている。これらの開口を上下に重ね合わせ、足部５の上方からボルト９が挿入され、アーム部３の下方からナット１０を本体６から突出するボルト９のネジ部に締め付けることによって、アーム３は、足部５の下側に連結される。また、ボルト９を緩めることによって、アーム部３は、本体６のほぼ長さ範囲以内で、本体６の上端部が足部５の前端部５ａにガイドされて前後にスライド可能となる。
【００２２】
また、アーム部３では、前耳受け部７は、その上端側が軒先から前方に離れるように斜め上方に延びている。前耳受け部７の上端には、軒樋４１の前壁部４１ａの上端に配設された前耳部４２を係止可能とした前耳係止部１１が配設されている。前耳係止部１１は、上方に開放された断面コ字型の形状を有している。このような前耳係止部１１は、スライド式吊具１では、吊具本体２の足部５よりも上方に配置されている。
【００２３】
一方、アーム部３の後耳受け部８では、その後端に、上方に突出する後耳係止部１２が配設されている。
【００２４】
軒樋４１は、上端に前耳部４２が配設され、前耳部４２との間の上端部に係合溝４３を形成している前壁部４１ａと、前壁部４１ａに対向して配置され、上方にまっすぐ延びている後壁部４１ｂと、前壁部４１ａと後壁部４１ｂを下縁において接続する底壁部４１ｃとを備え、上端開口４４において上方に開口している。後壁部４１ｂの上端には後耳部４５が配設され、後耳部４５の下端部に係合溝４６が形成されている。
【００２５】
このような軒樋４１を軒先に取り付ける際には、軒先の鼻隠しに取り付けられたスライド式吊具１に軒樋４１が取り付けられる。スライド式吊具１は、吊具本体２の固定部４を鼻隠しの前面に接触させてネジなどの固定具によって鼻隠しに取り付けられ、固定される。軒先の形状や構造などを考慮して軒樋４１の出寸法が適当となるように、吊具本体２の足部５に対してアーム部３の固定位置を調整した後、軒樋４１をアーム部３の下方からあてがい、後耳部４５の係合溝４６に、アーム部３の後耳受け部８に配設された後耳係止部１２を差し込む。そして、軒樋４１を前方に回動させるようにして係合溝４３に、アーム部３の前耳受け部７に配設された前耳係止部１１を挿入するとともに、前耳係止部１１の内側に上方より前耳部４２を挿入し、嵌合させる。こうして、前耳係止部１１によって前耳部４２が係止されるとともに、後耳係止部１２によって後耳部４５が係止され、軒樋４１は、スライド式吊具１に固定され、軒先に取り付けられる。
【００２６】
カバー部材５１は、軒先に取り付けられた軒樋４１の上端開口４４に沿ってこれを覆うように取り付けられる。カバー部材５１の取付けは、スライド式吊具１では、カバー部材取付治具１３を介して行われる。
【００２７】
カバー部材取付治具１３は、吊具本体２の足部５に取り付けられる固定部１４と、カバー部材５１を固定する可動部１５とを備えている。固定部１４は、足部５の前端部５ａに当接して固定される固定片部１６と、固定片部１６の最も軒先寄りの一端から斜め上方に軒先側に延びる連結片部１７と、連結片部１７の上端に接続された係止片部１８とから形成されている。
【００２８】
固定片部１６には、幅方向の中央部に小判状の長穴１９が上下を貫通して形成されている。吊具本体２の足部５とアーム部３を連結するボルト９は、長穴１９をも通じてアーム部３の本体６の下方まで挿入される。したがって、スライド式吊具１では、カバー部材取付治具１３の取付けをアーム部３の足部５への連結と同時に行うことができ、カバー部材取付治具１３の取付けが簡略化されている。
【００２９】
係止片部１８は、固定部１４の上端に配置され、連結片部１７の上端との接続位置を中央として軒先方向に対応する前後に延在し、平板状の形状を有している。また、係止片部１８では、左右両側端縁部に、鋸刃状に凹凸する第１の凹凸部２０が形成され、凹部２０ａと凸部２０ｂが交互に配置されている。
【００３０】
一方、可動部１５は、その下端に配置され、固定部１４の係止片部１８に係合可能とされた係合部２１と、係合部２１の最も軒先寄りの後端から斜め上方に延びる連結片部２２と、連結片部２２の上端に接続された、屋根の傾斜と同程度に傾斜する、斜め上方に延びるカバー部材受け部２３とから形成されている。
【００３１】
係合部２１は、断面略コ字型形状を有し、係合部２１には、固定部１４の係止片部１８の挿入を可能とした係合溝２４が形成されている。係合溝２４は、係止片部１８の挿入方向に延び、係合部２１において最も軒先側に配置される後端と、軒先側と反対側に配置される前端で側方に開放されている。また、係合部２１の下端には、係合溝２４の左右両側に対応する部分に、内側に延びるガイド片部２５が配設されている。係合部２１には、その前後両側端において開放された係合溝２４に固定部１４の係止片部１８を挿入することができる。そして、係合溝２４の左右両端部に、固定部１４の係止片部１８に形成された第１の凹凸部２０に対応する第２の凹凸部２６が形成されている。第２の凹凸部２６では、図示していないが、第１の凹凸部２０の凹部２０ａ、凸部２０ｂに対応する凸部、凹部が交互に配置されている。
【００３２】
連結片部２２は、上端が軒先から離れるように前側に傾斜している。連結片部２２の上端は、カバー部材受け部２３の中央部に接続している。
【００３３】
カバー部材受け部２３は、連結片部２２の上端から軒先側に折り曲げられて形成された第１の係止片部２７と、連結片部２２の上端部が切り欠かれ、切欠の内側の部分が、軒先と反対側に切り起こされて形成された第２の係止片部２８とによって形成されている。第１の係止片部２７と第２の係止片部２８は、同一平面上に配置されている。また、第１の係止片部２７の上端は波形に湾曲している。
【００３４】
雪よけカバー、水切りなどの機能を兼用したカバー部材５１では、屋根の傾斜方向の上下両端部に中空部５２が配設され、両中空部５２において対向する下部では、係止突起５３が、カバー部材５１の内側に突設されている。このようなカバー部材５１を、軒樋４１の上端開口４４に沿ってこれを覆うように軒先に取り付ける際には、軒先側に位置する係止突起５３をカバー部材取付治具１３の可動部１５の上端に配設されたカバー部材受け部２３の第１の係止片部２７の下面に引っ掛けるように係合させる。そして、軒先と反対側に位置する係止突起５３を弾性変形させて下方に落とし込み、カバー部材受け部２３の第２の係止片部２８の下面に係止させることによって、カバー部材５１の装着が完了する。
【００３５】
スライド式吊具１では、カバー部材取付治具１３において、係合部２１の係合溝２４の内部に係止片部１８が、開放された側端より挿入される可動部１５が、固定部１４に対し、アーム部３のスライド方向と同じ方向の前後にスライド自在とされている。可動部１５は、第２の凹凸部２６が第１の凹凸部２０に沿ってスライドし、また、第２の凹凸部２６の凹部、凸部が、それぞれ、第１の凹凸部２０の凸部２０ｂ、凹部２０ａに係止されることによって、可動部１５は固定部１４に固定される。このように、カバー部材取付治具１３では、可動部１５が、固定部１４に対し、第２の凹凸部２６が第１の凹凸部２０に係止される範囲以内において、アーム部３のスライド方向と同じ前後にスライド可能である。したがって、スライド式吊具１では、アーム部３の足部５に対するスライドに加え、そのような可動部１５のスライドが可能とされている。
【００３６】
このため、１種類のスライド式吊具１であっても、軒樋４１の納まりにともなう出寸法に対応してカバー部材５１の取付位置を調整することができ、軒樋４１の異なる出寸法に対してカバー部材５１を適当な位置に取り付けることが可能となる。図１に示した軒樋４１の出寸法を１５mmとした場合にも、カバー部材５１の取付位置は可変とすることができ、カバー部材取付治具１３が備える可動部１５の前後のスライド限界以内でカバー部材５１の取付位置を調整することができる。このようなカバー部材５１の取付位置は、図４に示したように、軒樋４１の出寸法を４５mmとした場合にも同様に行うことができる。カバー部材取付治具１３が備える可動部１５の前後のスライド限界以内でカバー部材５１の取付位置を調整することができる。
【００３７】
なお、図４は、図１に示したスライド式吊具１による軒樋４１の他の取付状態を示した側面図であり、図中の各符号は、図１図中に示した符号に対応している。
【００３８】
また、カバー部材取付治具１３が備える可動部１５は、上記のとおり、係合部２１の第２の凹凸部２６が、固定部１４の係止片部１８の端縁部に形成された第１の凹凸部２０に沿ってスライドし、また、係止されることによって可動部１５は固定部１４に固定される。このため、固定部１４に対する可動部１５のスライドおよび固定を簡単な操作で実現することができる。
【００３９】
なお、本発明は、以上の実施形態によって限定されるものではない。固定部と足部を備える吊具本体およびアーム部の形状や構造などについては、軒先に取り付ける軒樋に対応して各種のものが採用可能である。同様に、カバー部材取付治具の形状や構造などについても、取り付けるカバー部材に対応して各種の態様が可能である。
【符号の説明】
【００４０】
１  スライド式吊具
２  吊具本体
３  アーム部
４  固定部
５  足部
１３  カバー部材取付治具
１４  固定部
１５  可動部
１８  係止片部
２０  第１の凹凸部
２０ａ  第１の凹凸部の凹部
２０ｂ  第１の凹凸部の凸部
２１  係合部
２６  第２の凹凸部
４１  軒樋
４４  上端開口
５１  カバー部材
【図１】
2011094308.tif 000003
【図２】
2011094308.tif 000004
【図３】
2011094308.tif 000005
【図４】
2011094308.tif 000006